(57)【要約】【課題】サイズが異なる男持ムーブメントと女持ムーブメントとでＬＥＤを搭載する回路基板の共通化を図り、部品点数を削減してコストダウンを図る。【解決手段】ＬＥＤ付き携帯時計の回路基板２２において、男持ムーブメント用の第１ＬＥＤ取付位置Ｐと女持ムーブメント用の第２ＬＥＤ取付位置Ｑとを設け、例えば両取付位置間にＶ溝を設けて第２ＬＥＤ取付位置との間で第１ＬＥＤ取付位置を切り離し可能とする。例えば、突出部５０を形成して、その突出部の先端に第１ＬＥＤ取付位置を、基端に第２ＬＥＤ取付位置を備え、第２ＬＥＤ取付位置の突出部先端側に切り込み線４２を設ける。【選択図】図５
2007155596.tif 000002
【特許請求の範囲】
【請求項１】
男持ムーブメント用の第１ＬＥＤ取付位置と女持ムーブメント用の第２ＬＥＤ取付位置とを設け、その第２ＬＥＤ取付位置との間で前記第１ＬＥＤ取付位置を切り離し可能とすることを特徴とする、ＬＥＤ付き携帯時計の回路基板。
【請求項２】
突出部を形成して、その突出部の先端に前記第１ＬＥＤ取付位置を、基端に前記第２ＬＥＤ取付位置を設けることを特徴とする、請求項１に記載のＬＥＤ付き携帯時計の回路基板。
【請求項３】
請求項１または２に記載のＬＥＤ付き携帯時計の回路基板を備えることを特徴とする、ＬＥＤ付き携帯時計用ムーブメント。
【請求項４】
請求項３に記載のＬＥＤ付き携帯時計用ムーブメントを備えることを特徴とする、ＬＥＤ付き携帯時計。
【発明の詳細な説明】
【技術分野】
【０００１】
この発明は、例えば真っ暗なところで、時計ケース外の鍵穴などを照らすときに使用する外部照明用や、時刻を知りたいときに時計ケース内の時針、分針、秒針などを照らす内部照明用のＬＥＤ（発光ダイオード）を有するＬＥＤ付き携帯時計に関する。および、そのＬＥＤ付き携帯時計の時計ケース内に収納するＬＥＤ付き携帯時計用ムーブメントに関する。および、そのようなムーブメントで用いる回路基板に関する。
【背景技術】
【０００２】
従来、ＬＥＤ付き携帯時計は、例えば図１０に示すように、時計ケース１内に設けるムーブメント２の回路基板３に直接内部照明用ＬＥＤ４や外部照明用ＬＥＤ５を搭載していた。内部照明用ＬＥＤ４および外部照明用ＬＥＤ５は、回路基板３上に、例えば周方向に１２０度置きの等間隔にともに３つずつ搭載する。そして、内部照明用ＬＥＤ４から発した光は、それぞれ文字板６外周の３つの切欠き６ａを通して胴７の見切り部７ａで反射して時計ケース１内を照明し、また外部照明用ＬＥＤ５から発した光は、それぞれ文字板６の丸穴６ｂを通して風防ガラス８を透し、時計ケース１外を照明するようにしていた。
【０００３】
これにより、内部照明用ＬＥＤ４を点灯することで、暗いところでも、時計ケース１内を照らして時刻表示部に光を当て、時刻を容易に確認し、また外部照明用ＬＥＤ５を点灯することで、暗いところでも、時計ケース１外を照らして光を当て、鍵穴などがよく見えるようにしていた。
【０００４】
【特許文献１】実開昭６４−１０６９３号公報
【特許文献２】特開平６−１６２８０９号公報
【発明の開示】
【発明が解決しようとする課題】
【０００５】
ところが、上述した従来のＬＥＤ付き携帯時計では、回路基板３上における内部照明用ＬＥＤ４や外部照明用ＬＥＤ５の取付位置が固定されていた。よって、一般に比較的大サイズの男持ムーブメントと比較的小サイズの女持ムーブメントとの間では、回路基板の共通化を図ることができず、部品点数の削減が難しく、コストダウンすることができなかった。
【０００６】
そこで、この発明の目的は、サイズが異なる男持ムーブメントと女持ムーブメントとでＬＥＤを搭載する回路基板の共通化を図り、部品点数を削減してコストダウンを図ることにある。
【課題を解決するための手段】
【０００７】
かかる目的を達成すべく、この発明の第１の態様は、ＬＥＤ付き携帯時計の回路基板において、男持ムーブメント用の第１ＬＥＤ取付位置と女持ムーブメント用の第２ＬＥＤ取付位置とを設け、例えば両取付位置間にＶ溝を設けて第２ＬＥＤ取付位置との間で第１ＬＥＤ取付位置を切り離し可能とすることを特徴とする。例えば、突出部を形成して、その突出部の先端に第１ＬＥＤ取付位置を、基端に第２ＬＥＤ取付位置を設けるようにするとよい。
【０００８】
上述した目的を達成すべく、この発明の第２の態様は、ＬＥＤ付き携帯時計用ムーブメントにおいて、第１の態様のＬＥＤ付き携帯時計の回路基板を備えることを特徴とする。
【０００９】
また、上述した目的を達成すべく、この発明の第３の態様は、ＬＥＤ付き携帯時計において、第２の態様のＬＥＤ付き携帯時計用ムーブメントを備えることを特徴とする。
【発明の効果】
【００１０】
この発明の第１の態様によれば、第１ＬＥＤ取付位置を切り離すか否かにより、この発明にかかる１つの回路基板を、サイズが異なる男持ムーブメントと女持ムーブメントとに共通して使用することができ、ＬＥＤ付き携帯時計用ムーブメント、ひいてはそのムーブメントを用いるＬＥＤ付き携帯時計の部品点数を削減してコストダウンを図ることができる。
【００１１】
この発明の第２の態様によれば、第１ＬＥＤ取付位置を切り離すか否かにより、１つの回路基板を、サイズが異なる男持ムーブメントと女持ムーブメントとに共通して使用することができ、この発明にかかるＬＥＤ付き携帯時計用ムーブメント、ひいてはＬＥＤ付き携帯時計の部品点数を削減してコストダウンを図ることができる。
【００１２】
この発明の第３の態様によれば、第１ＬＥＤ取付位置を切り離すか否かにより、１つの回路基板を、サイズが異なる男持ムーブメントと女持ムーブメントとに共通して使用することができ、ＬＥＤ付き携帯時計用ムーブメント、ひいてはこの発明にかかるＬＥＤ付き携帯時計の部品点数を削減してコストダウンを図ることができる。
【発明を実施するための最良の形態】
【００１３】
以下、図面を参照しつつ、この発明の実施の最良形態につき説明する。
図１には、この発明によるＬＥＤ照明付き携帯時計である腕時計の縦断面を示す。
【００１４】
図中符号１０は、胴１１、風防ガラス１２、裏蓋１３よりなる時計ケースである。時計ケース１０内には、中枠１４で位置決めしてＬＥＤ照明付き携帯時計用ムーブメント１５を収納してなる。ムーブメント１５は、金属製の地板１６を備え、その地板１６の風防ガラス１２側に文字板１８を取り付けている。文字板１８の外側には、風防ガラス１２との間の空間に、時針、分針、秒針などの針２０を設ける。他方、地板１６の裏蓋１３側には、回路基板２２を取り付けている。
【００１５】
図２には、ＬＥＤ照明付き携帯時計用ムーブメント１５を示す。（Ａ）には風防ガラス１２側から見て示す平面を、（Ｂ）にはその右側面を、（Ｃ）には背面を示す。
【００１６】
図中２４はムーブメント１５から突出して設ける巻真であり、２５はコイン型電池、２６は駆動コイル、２７は時計モータ、２８は回転伝達用輪列である。この例では、ムーブメント１５を小型薄型につくることができ、１２時−６時方向の直径Ｄがφ１８．１０ｍｍ、３時−９時方向の直径Ｗが１５．３ｍｍ、厚さｔが３．１５ｍｍである。
【００１７】
図３（Ａ）には巻真２４を示し、（Ｂ）にはそれへの巻真押え３０の係合を示す。
図示するとおり、巻真２４には、幅広の円周溝よりなるスイッチ作動用の第１部位ａと、幅狭の複数の円周溝よりなる位置決め用の第２部位ｂと、ギアよりなる時刻修正用の第３部位ｃとを設ける。第２部位ｂの１つの円周溝には、巻真押え３０の先端が係合する。
【００１８】
図４には、巻真２４をムーブメント１５に組み付けた状態を示す。（Ａ）には一部背面を、（Ｂ）には側面を示す。
【００１９】
巻真２４は、３時位置から９時位置に向けて地板１６に挿入し、軸方向に出し入れ自在とする。そして、上述したように第２部位ｂの１つの円周溝に巻真押え３０の先端を入れて抜け止めし、第１部位ａにはＬＥＤ点灯用スイッチばね３１を係合してなる。ＬＥＤ点灯用スイッチばね３１には、上述した回路基板２２のスイッチ接点部３２と対向するスイッチ接点部３３が設けられている。図中符号３４はクラウン歯３５を有する小鉄車であり、３６はリセットレバーである。
【００２０】
そして、巻真２４の先端に取り付ける不図示のリューズを押して図示の通常状態から巻真２４を押し込むＬＥＤ点灯操作を行うと、巻真押え３０の先端が第２部位ｂの斜面をすべり、巻真２４が地板１６の中心に向けて移動し、ＬＥＤ点灯用スイッチばね３１をたわませてスイッチ接点部３３を回路基板２２のスイッチ接点部３２に接触し、これによりスイッチをオンして後述するＬＥＤ４４を点灯する。
【００２１】
一方、不図示のリューズを持って図示の通常状態から巻真２４を引き出すと、巻真押え３０の先端が巻真２４の斜面を乗り越えて隣接する円周溝に係合し、第３部位ｃのギアが小鉄車３４のクラウン歯３５にかみ合い、リューズを持って巻真２４を軸まわりに回動することにより時刻合わせ操作を行うことができる。
【００２２】
図５には、裏蓋側から見た回路基板２２の表面を示す。
図示するとおり、回路基板２２には、水晶振動子３７、水晶発振用コンデンサＣ１、チャージャポンプコンデンサＣ２、集積回路（ＩＣ）３８を搭載する。アナログのみの回路基板と比較してチャージャポンプコンデンサＣ２を増加するだけで済むから、小型化が図れる。図中符号３２は、上述したＬＥＤ点灯用スイッチばね３１のスイッチ接点部３３が接触したり離れたりするスイッチ接点部である。図中符号４０は時計モータ２７用の出力端子、４１はリセット端子である。
【００２３】
ところで、この例では、回路基板２２に突出部５０を形成する。そして、その突出部５０の先端に男持ムーブメント用の第１ＬＥＤ取付位置Ｐを、基端に女持ムーブメント用の第２ＬＥＤ取付位置Ｑを設け、その第２ＬＥＤ取付位置Ｑの突出部５０先端側にＶ溝を設けて切り込み線４２を形成し、その切り込み線４２に沿って第２ＬＥＤ取付位置Ｑとの間で第１ＬＥＤ取付位置Ｐを切り離し可能とする。
【００２４】
そして、サイズの大きい男持ムーブメント１５に用いるときは、図示するように回路基板２２の第１ＬＥＤ取付位置Ｐに、時計ケース内を照明する内部証明用のＬＥＤ４４を取り付け、そのＬＥＤ４４を取り付けた回路基板２２を組み付けて、突出部５０を図１および図２に示すように男持ムーブメント１５から大きく突出して先端のＬＥＤ４４を風防ガラス１２側に向けて設置する。一方、サイズの小さい女持ムーブメントに用いるときは、図６に示すように、切り込み線４２で第１ＬＥＤ取付位置Ｐを切り離して第２ＬＥＤ取付位置ＱにＬＥＤ４４を取り付け、そのＬＥＤ４４を取り付けた回路基板２２を組み付けて、図示省略するが、突出部５０を女持ムーブメント１５からわずかに突出して同様に先端のＬＥＤ４４を風防ガラス１２側に向けて設置する。
【００２５】
図７には、この発明によるＬＥＤ照明付き携帯時計用ムーブメント１５の回路構成を示す。図８には、そのチャージャポンプ回路構成を示す。図９（Ａ）にはＬＥＤ点灯タイミングチャートを、（Ｂ）には白色ＬＥＤにおける順電流・順電圧特性の一例である特性表を示す。
【００２６】
図示例では、集積回路３８に、電圧安定化回路を持たないチャージャポンプ回路により昇圧を行う昇圧機能と、時計を駆動する計時機能とを一体的に持っている。図８に示すチャージャポンプ回路では、電圧安定化回路を持たないから、入力電圧が低下すると、出力電圧も低下し、電池２５に余分な負荷が加わらないようになっている。
【００２７】
そして、チャージャポンプの発振（スイッチング）周波数に応答してチャージャポンプコンデンサＣ２に電圧を供給する。続いて、チャージャポンプコンデンサＣ２に充電されたエネルギは、チャージャポンプの出力によりＬＥＤ４４の端子に供給する。このとき、ＬＥＤ４４の端子電圧は、チャージャポンプコンデンサＣ２の容量とＬＥＤ４４を流れる電流のバランスにより図９（Ａ）のように変化する。
【００２８】
図９（Ｂ）より、電池２５に１．５Ｖ系の銀電池を用いてＬＥＤ４４の端子間に３ｍＡ〜４ｍＡの電流を流すためには、チャージャポンプコンデンサＣ２を１μＦに設定すればよく、このときの光度も３０ｍｃｄ程度となり、良好な結果となった。さらに、このときの銀電池の消耗電流は、電流特性で最大電流１０ｍＡに対して８ｍＡであり、銀電池の電流特性として問題ない結果が得られた。
【００２９】
このように、図示する例では、電圧安定化回路を持たないチャージャポンプ回路により昇圧を行うので、電池２５の劣化にともなってＬＥＤ４４の消費電流が減少し、したがって従来３Ｖ系の電池に制約されていたＬＥＤ駆動電源として、電池能力の劣る１．５Ｖ系電池の使用が可能となり、電池２５の小型化を図って小型化および薄型化が可能なＬＥＤ照明付き携帯時計用ムーブメント１５およびＬＥＤ照明付き携帯時計を提供することができる。また、回路構成を単純化してＩＣコストのアップやＩＣサイズの増加などを招くおそれをなくすことができる。加えて、この例では、昇圧機能と計時機能とを１つの集積回路３８に一体的に備えるようにするので、ＩＣスペースを削減して一層の小型化を図ることができる。
【００３０】
さらに、巻真２４では、時刻合わせ操作とともに、ＬＥＤ点灯操作を行うようにするので、時刻合わせ操作を行う巻真２４とは別に、ＬＥＤ点灯操作を行うプッシュボタンスイッチを設ける必要をなくして一層の小型化を図るとともに、デザイン性を向上することができる。特に女持用において、効果が大きい。
【００３１】
以上のとおり、上述した例の腕時計では、男持ムーブメント用の第１ＬＥＤ取付位置Ｐと女持ムーブメント用の第２ＬＥＤ取付位置Ｑとを設け、その第２ＬＥＤ取付位置Ｑとの間で第１ＬＥＤ取付位置Ｐを切り離し可能とする回路基板２２を使用した。よって、第１ＬＥＤ取付位置Ｐを切り離すか否かにより、１つの回路基板を、サイズが異なる男持ムーブメントと女持ムーブメントとに共通して使用することができ、ムーブメント１５、ひいては腕時計の部品点数を削減してコストダウンを図ることができる。
【００３２】
そして、例えば暗いところで、巻真２４をＬＥＤ点灯操作することにより内部照明用ＬＥＤ４４を点灯し、ＬＥＤ４４から発した光を図１に示すように胴１１の見切り部４８で反射して時計ケース１０内を照らし、文字板１８上の時刻表示部に当てて、時刻を容易に確認できるようにする。
【００３３】
なお、上述した図示例では、ＬＥＤとして、時計ケース１０内を照明する内部照明用ＬＥＤ４４を使用する場合について説明した。しかし、ＬＥＤとしては、内部照明用ＬＥＤに限らず、例えば図１０において時計ケース１外を照明する外部照明用ＬＥＤ５のようなＬＥＤを備え、そのような外部照明用ＬＥＤを、男持ムーブメントの場合には回路基板２２の第１ＬＥＤ取付位置Ｐに、女持ムーブメントの場合には回路基板２２の第２ＬＥＤ取付位置Ｑに取り付けるようにしてもよい。
【図面の簡単な説明】
【００３４】
【図１】この発明によるＬＥＤ照明付き携帯時計である腕時計の縦断面図である。
【図２】その腕時計内に収納するＬＥＤ照明付き携帯時計用ムーブメントで、（Ａ）は風防ガラス側から見て示す平面図、（Ｂ）はその右側面図、（Ｃ）は背面図である。
【図３】（Ａ）はそのムーブメントで用いる巻真を示し、（Ｂ）はその巻真への巻真押えの係合を示す図である。
【図４】その巻真をムーブメントに組み付けた状態を示し、（Ａ）は一部背面図、（Ｂ）は側面図である。
【図５】そのムーブメントに組み付ける回路基板を裏蓋側から見た表面図である。
【図６】その回路基板を女持ムーブメントに使用するときの表面図である。
【図７】この発明によるＬＥＤ照明付き携帯時計用ムーブメントの電気回路構成図である。
【図８】そのチャージャポンプ回路構成図である。
【図９】（Ａ）はＬＥＤ点灯タイミングチャート、（Ｂ）は白色ＬＥＤにおける順電流・順電圧特性の一例を示す特性表である。
【図１０】ＬＥＤとして、内部照明用ＬＥＤとともに外部照明用ＬＥＤを用いる従来の腕時計の説明断面図と文字板平面図である。
【符号の説明】
【００３５】
１５    ムーブメント
２２    回路基板
４２    切り込み線
４４    内部照明用ＬＥＤ
５０    突出部
Ｐ      第１ＬＥＤ取付位置
Ｑ      第２ＬＥＤ取付位置
【図１】
2007155596.tif 000003
【図２】
2007155596.tif 000004
【図３】
2007155596.tif 000005
【図４】
2007155596.tif 000006
【図５】
2007155596.tif 000007
【図６】
2007155596.tif 000008
【図７】
2007155596.tif 000009
【図８】
2007155596.tif 000010
【図９】
2007155596.tif 000011
【図１０】
2007155596.tif 000012